(57)【特許請求の範囲】
【請求項１】
ハウジング内の前方に、前端にビットを装着可能なツールホルダを回転可能に軸支して、そのツールホルダの後方に前記ビットの打撃機構を設け、前記ハウジング内の後方にモータを配置して、前記モータの出力軸から回転伝達される中間軸を、前記ツールホルダと平行に軸支し、前記中間軸上の前方に、回転により前記中間軸の回転を前記ツールホルダ側へ回転伝達する回転伝達部材を、後方に、回転により前記中間軸の回転を前後運動に変換して前記打撃機構へ伝達する打撃伝達部材を夫々前記中間軸と別体で回転可能に設け、前記回転伝達部材と打撃伝達部材との間に、前記中間軸と一体回転可能且つ前後方向へスライド可能で、そのスライド位置によって前記回転伝達部材及び／又は打撃伝達部材と係脱可能なクラッチ部材を設けて、
前記ハウジングに、回転操作可能なモード切換部材を設けると共に、そのモード切換部材の偏心位置に、前記クラッチ部材の外周に向けて所定のストロークで進退動可能で、第１の付勢手段によって前記クラッチ部材の外周との係合位置へ付勢される係合ピンを設けて、前記ハウジング外部からの前記モード切換部材の回転操作により、前記係合ピンを介して前記クラッチ部材をスライドさせて、前記クラッチ部材が前記回転伝達部材のみと係合して前記ツールホルダを回転させるドリルモードと、前記回転伝達部材及び打撃伝達部材と係合して前記ツールホルダを回転させると共に前記打撃機構を動作させるハンマードリルモードと、前記打撃伝達部材のみと係合して前記打撃機構のみを動作させるハンマーモードとを選択可能としたハンマードリルであって、
前記ハウジング内に、前記回転伝達部材に係合してその回転をロック可能なロック部材を、前記回転伝達部材との係合位置と、前記回転伝達部材との非係合位置との間でスライド可能に設ける一方、
前記モード切換部材における前記係合ピンの外周側に、前記クラッチ部材を前記打撃伝達部材のみと係合させる前記係合ピンの２つの位相のうち、一方の位相で前記ロック部材を前記非係合位置にスライドさせ、他方の位相で前記ロック部材を前記係合位置へスライドさせる規制部を設けて、前記ハンマーモードを、前記係合ピンを前記一方の位相とする位置で前記ツールホルダの回転をフリーとする状態と、前記他方の位相とする位置で前記ツールホルダの回転を規制する状態とにさらに選択可能としたことを特徴とするハンマードリル。
【請求項２】
前記ロック部材は、第２の付勢手段によって前記係合位置へ付勢され、前記一方の位相では前記規制部と当接して前記係合位置へのスライドが規制されることで前記非係合位置が維持され、前記他方の位相では前記規制部によるスライド規制が解除されることで前記係合位置へのスライドが許容されることを特徴とする請求項１に記載のハンマードリル。
【請求項３】
前記クラッチ部材の外周に、Ｖ字状の溝を凹設し、当該溝と係合する前記係合ピンの先端をテーパ状に形成して、前記ツールホルダの回転が規制されるハンマーモードとドリルモードとの間での前記モード切換部材の回転操作時に、前記クラッチ部材と前記回転伝達部材又は打撃伝達部材とが互いの端面同士の当接で未係合となる場合には、前記係合ピンがその先端を前記溝に沿って摺動させながら前記第１の付勢手段の付勢に抗して後退することで、前記クラッチ部材を相手側との係合位置へ付勢すると共に、前記係合ピンの進退動のストロークを、当該未係合の際には前記モード切換部材がモード切換後の回転操作位置へ達する前に後退が規制される設定としたことを特徴とする請求項１又は２に記載のハンマードリル。
【発明の詳細な説明】
【技術分野】
【０００１】
本発明は、先端のビットに回転及び／又は打撃を付与可能としたハンマードリルに関する。
【背景技術】
【０００２】
ハンマードリルは、例えば特許文献１に示すように、ハウジング内の前方に、前端でビットを保持するツールホルダを軸支し、後方に、往復動する打撃子によってビットを中間子を介して間接的に打撃する打撃機構を設け、その下方に、モータの出力軸の回転が伝達される中間軸をツールホルダと平行に軸支して、中間軸に、両面にクラッチ爪を有して中間軸と一体回転且つ軸方向へスライド可能なクラッチ部材と、そのクラッチ部材の前方で中間軸に遊嵌され、クラッチと係合する爪を有してツールホルダ側のギヤと噛合する第２ギヤ（回転伝達部材）と、クラッチ部材の後方で中間軸に遊嵌され、クラッチと係合する爪を有して中間軸の回転を前後運動に変換して打撃機構に伝達するボススリーブ（打撃伝達部材）と、クラッチ部材に周設したテーパ面に嵌合する押圧子（係合ピン）を偏心位置に設けた切換レバー（モード切換部材）とを設けたものが知られている。
【０００３】
すなわち、切換レバーの回転操作による押圧子の偏心運動によってクラッチ部材をスライド操作し、クラッチ部材を第２ギヤ及び／又はボススリーブと係脱させることで、クラッチ部材を第２ギヤのみと係合させてビットに回転のみ付与するドリルモードと、第２ギヤとボススリーブとの両方に係合させてビットに回転＋打撃を付与するハンマードリルモードと、ボススリーブのみと係合させてビットに打撃のみ付与するハンマーモードとを選択可能としたものである。これにより、簡単な構成でモード切換を円滑に行うことができ、モード切換に伴う部材の摩耗や発熱を抑えて耐久性も良好となる効果を得ることができる。
【０００４】
【特許文献１】特許第３１６８３６３号公報
【発明の開示】
【発明が解決しようとする課題】
【０００５】
このようなハンマードリルにおいては、ハンマーモードを選択した場合、第２ギヤの回転がフリー状態となるため、第２ギヤが中間軸との間の摩擦によって自然に回転し、ツールホルダ及びビットを回転させてしまうことがある。よって、はつり作業等、ビットの向きを固定して行いたい作業の際には使い勝手が悪くなる場合があった。
【０００６】
そこで、本発明は、係合ピンの採用による利点を維持しつつ、簡単な構成でハンマーモードでのビットの回転規制を可能として、使い勝手を向上させるハンマードリルを提供することを目的としたものである。
【課題を解決するための手段】
【０００７】
上記目的を達成するために、請求項１に記載の発明は、ハウジング内に、回転伝達部材に係合してその回転をロック可能なロック部材を、回転伝達部材との係合位置と、回転伝達部材との非係合位置との間でスライド可能に設ける一方、モード切換部材における係合ピンの外周側に、クラッチ部材を打撃伝達部材のみと係合させる係合ピンの２つの位相のうち、一方の位相でロック部材を非係合位置にスライドさせ、他方の位相でロック部材を係合位置へスライドさせる規制部を設けて、ハンマーモードを、係合ピンを一方の位相とする位置でツールホルダの回転をフリーとする状態と、他方の位相とする位置でツールホルダの回転を規制する状態とにさらに選択可能としたことを特徴とするものである。
請求項２に記載の発明は、請求項１の構成において、ツールホルダの回転を規制するハンマーモードへの確実な切換を可能とするために、ロック部材を、第２の付勢手段によって係合位置へ付勢して設け、一方の位相では規制部と当接して係合位置へのスライドが規制されることで非係合位置が維持され、他方の位相では規制部によるスライド規制が解除されることで係合位置へのスライドが許容されることを特徴とするものである。
請求項３に記載の発明は、請求項１又は２の構成において、モード切換の信頼性を高めるために、クラッチ部材の外周に、Ｖ字状の溝を凹設し、当該溝と係合する係合ピンの先端をテーパ状に形成して、ツールホルダの回転が規制されるハンマーモードとドリルモードとの間でのモード切換部材の回転操作時に、クラッチ部材と回転伝達部材又は打撃伝達部材とが互いの端面同士の当接で未係合となる場合には、係合ピンがその先端を溝に沿って摺動させながら第１の付勢手段の付勢に抗して後退することで、クラッチ部材を相手側との係合位置へ付勢すると共に、係合ピンの進退動のストロークを、当該未係合の際にはモード切換部材がモード切換後の回転操作位置へ達する前に後退が規制される設定としたことを特徴とするものである。
【発明の効果】
【０００８】
請求項１に記載の発明によれば、係合ピンの採用による利点を維持しつつ、ハンマーモードでのビットの回転規制も可能として、使い勝手を向上させることができる。而も、規制部及びロック部材を追加する簡単な構成で足りるため、回転規制の追加に伴うコストアップは最小限で済む。
請求項２に記載の発明によれば、請求項１の効果に加えて、ハンマーモードへ切り換えた際に、回転伝達部材とロック部材とが未係合となった場合でも、回転伝達部材が回転すると、第２の付勢手段の付勢によって直ちにロック部材が回転伝達部材に係合し、ツールホルダの回転を規制するハンマーモードへの確実な切換が可能となる。
請求項３に記載の発明によれば、請求項１又は２の効果に加えて、ロック部材が回転伝達部材と係合したままドリルモードで作動させてしまうことを防止でき、モード切換の信頼性が高まる。
【発明を実施するための最良の形態】
【０００９】
以下、本発明の実施の形態を図面に基づいて説明する。
図１は、ハンマードリルの一例を示す一部縦断面図、図２はハウジングを省略した内部構造の外観図で、ハンマードリル１は、ハウジング２の前方（図１の左側）に、前端にビット４を装着可能なツールホルダ３を回転可能に軸支する一方、後方に、出力軸５を前方に向けたモータ（但し図示は出力軸５のみ）を収容している。
ツールホルダ３は、中間部６がハウジング２の前端でボールベアリング７に、後方の大径部８がハウジング２内後方に組み付けられたインナーハウジング９に夫々回転可能に軸支される筒状体で、ハウジング２から突出した前端には、差し込まれたビット４を着脱操作する操作スリーブ１０が設けられている。
【００１０】
また、大径部８の外周には、ギヤ１１が外装されている。このギヤ１１は、前方側で大径部８に固定状態で外装されたストッパリング１２に当接して位置決めされ、周方向で所定間隔をおいて保持したボール１３を、ストッパリング１２の凹部に嵌合させた状態で、大径部８に外装されたコイルバネ１４によってワッシャー１５を介してストッパリング１２側へ押圧されることで、回転が規制されるようになっている。すなわち、コイルバネ１４の付勢力を上回る負荷がギヤ１１に加わった場合は、ボール１３がストッパリング１２の凹部を乗り越えてギヤ１１が空転することで、ツールホルダ３への回転伝達を遮断するトルクリミッタを形成したものである。
【００１１】
さらに、ツールホルダ３の中間部６内には、ビット４の後方に位置する中間子としてのインパクトボルト１６が前後移動可能に収容されて、その後方で大径部８内には、インパクトボルト１６の後退位置を規制する受けリング１７が設けられている。この受けリング１７は、後方で大径部８内に組み付けられる筒状のキャップ１８との間に介在されたコイルバネ１９によって、中間部６と大径部８との間の段部２０に押圧固定されるもので、キャップ１８の後端には、通常の使用時にはインパクトボルト１６の後端が嵌合し、ツールホルダ３にビット４がない場合等の空打ちの際には、後述するストライカ２５の前端を把持してその往復動を規制するＯリング２１が収容されている。
【００１２】
そして、大径部８の後方には、打撃機構２２が備えられている。この打撃機構２２は、前方を開口して大径部８に遊挿される筒状のピストンシリンダ２３と、そのピストンシリンダ２３内に空気室２４を介して前後移動可能に収容された打撃子としてのストライカ２５とを有するもので、ピストンシリンダ２３が大径部８内を往復動することで、空気バネの作用によってストライカ２５を連動させ、キャップ１８内のＯリング２１に嵌合したインパクトボルト１６の後端を打撃可能となっている。
【００１３】
一方、ハウジング２内で出力軸６の下方には、中間軸２６が、前後のボールベアリング２７，２８によってツールホルダ３及び出力軸５と平行に軸支され、後端に設けた第１ギヤ２９を出力軸５に噛合させている。この中間軸２６の中間部位には、スプライン歯３０が形成されて、その前方でボールベアリング２７との間には、回転伝達部材としての第２ギヤ３１が中間軸２６と別体回転可能に外装されて、ツールホルダ３のギヤ１１と噛合している。さらに、スプライン歯３０の後方でボールベアリング２８との間には、打撃伝達部材としてのボススリーブ３２が、中間軸２６と別体回転可能に外装されて、ボススリーブ３２の外周に、軸線を傾けたスワッシュベアリング３３が回転可能に外嵌されて、スワッシュベアリング３３の上部に突設した連結アーム３４の上端が、ボール３５を介してピストンシリンダ２３の後端で回転可能に保持されている。よって、ボススリーブ３２が回転すると、スワッシュベアリング３３が前後に軸線を傾動させ、連結アーム３４を前後に揺動させてピストンシリンダ２３を往復動させることになる。なお、ピストンシリンダ２３とインナーハウジング９との間には、ピストンシリンダ２３の前方への往動を付勢するコイルバネ３６が設けられている。
【００１４】
そして、中間軸２６のスプライン歯３０には、クラッチ部材としてのスリーブ状のクラッチ３７がスプライン結合されて、中間軸２６と一体回転可能且つ前後方向へスライド可能となっている。このクラッチ３７の前面には、第２ギヤ３１の後面に設けられた係合爪４０に係合可能なクラッチ爪３８が形成される一方、後面には、ボススリーブ３２の前面に設けられた係合爪４１に係合可能なクラッチ爪３９が形成されて、前後のスライド位置により、第２ギヤ３１及びボススリーブ３２との一方又は双方と係脱可能となっている。すなわち、前進位置では第２ギヤ３１のみと係合して中間軸２６と回転方向で一体化させ、後退位置ではボススリーブ３２のみと係合して中間軸２６と回転方向で一体化させ、中間位置では第２ギヤ３１及びボススリーブ３２の双方と係合して中間軸２６と回転方向で一体化させるものである。また、クラッチ３７の外周には、Ｖ字状の嵌合溝４２が周設されている。
【００１５】
ハウジング２の下部に設けられた取付孔４３には、モード切換部材としてのモード切換ツマミ４４が回転可能に嵌着されている。このモード切換ツマミ４４は、下面にツマミ部４５が形成された円盤状で、ハウジング２内部側となる上面で回転中心からの偏心位置には、円筒状の保持筒４６が立設されて、その保持筒４６内に、係合ピン４７が収容されている。この係合ピン４７は、上端がクラッチ３７の嵌合溝４２に嵌合するように左右対称に切り欠いたテーパ状となっており、下方に収容した第１の付勢手段としてのコイルバネ４８により、上方へ突出付勢されて、テーパ状の上端をクラッチ３７の嵌合溝４２に嵌合させている。よって、モード切換ツマミ４４を回転させると、保持筒４６と共に係合ピン４７がクラッチ３７に嵌合したまま偏心運動するため、係合ピン４７の前後方向の移動量に応じてクラッチ３７も前後移動することとなる。
【００１６】
また、モード切換ツマミ４４の上面には、回転中心と同心円で規制筒４９が立設されている。この規制筒４９は、一部が保持筒４６と同じ高さで保持筒４６の周壁と連続形成される円弧状の規制部５０を有し、その他の部分は一段低くなって周回し、保持筒４６の中間部位と繋がる。よって、モード切換ツマミ４４の回転に伴って規制部５０の位相が変化することになる。
５１は、ハウジング２の下方でモード切換ツマミ４４の前方に設けられたロックプレートで、開口を後方へ向けたＵ字状となる前後方向の下板５２と、その下板５２の前端から上方に折曲され、開口を上方へ向けたＵ字状の前板５３とからなる側面視Ｌ字状で、下板５２の両側縁が、ハウジング２の左右の内側面に形成されたガイド溝５４に嵌合して、保持筒４６及び規制筒４９の規制部５０と干渉する位置で前後へスライド可能に保持され、ハウジング２の前方内面に設けた第２の付勢手段としてのコイルバネ５５により、下板５２のＵ字状の内縁に保持筒４６又は規制部５０が当接する位置に付勢されている。一方、前板５３のＵ字状の内縁には、第２ギヤ３１の後方で放射状に形成したロック歯５６と嵌合する切欠５７，５７・・が形成されている。
【００１７】
以上の如く構成されたハンマードリル１においては、ツマミ部４５が前方を向くモード切換ツマミ４４の図１〜３の回転操作位置では、図４に示すように保持筒４６及び係合ピン４７は最も前方寄りに位置する。よって、係合ピン４７と係合するクラッチ３７は前進位置へスライドし、クラッチ３７の前面側のクラッチ爪３８を第２ギヤ３１の係合爪４０と係合させるドリルモードとなる。このとき、ロックプレート５１は、保持筒４６によってコイルバネ５５の付勢に抗して前進位置（非係合位置）へ移動して、前板５３が第２ギヤ３１のロック歯５６と嵌合しない位置でスライドを規制されている。
【００１８】
この切換操作の際、クラッチ爪３８と係合爪４０とが噛み合わず、端面同士が当接する未係合状態となることがあるが、この場合、係合ピン４７がその先端をクラッチ３７の嵌合溝４２に沿って摺動させながらコイルバネ４８の付勢に抗して下降することで、保持筒４６の移動に追従する。従って、クラッチ３７には係合ピン４７を介して前方への付勢力が働き、中間軸２６の回転でクラッチ３７が回転してクラッチ爪３８と係合爪４０とが噛み合う位置になると、クラッチ３７が前進位置へスライドして第２ギヤ３１と連結すると共に、係合ピン４７が上昇して嵌合溝４２に再び嵌合することになる。
このドリルモードでビット４をツールホルダ３に装着してモータを駆動させると、中間軸２６が回転し、その回転がクラッチ３７及び第２ギヤ３１、ギヤ１１を介してツールホルダ３に伝わり、ビット４を回転させる。一方、前進したクラッチ３７が離れたボススリーブ３２には回転が伝わらないため、ピストンシリンダ２３は往復動しない。よって、ビット４は回転のみ行うこととなる。
【００１９】
次に、図５〜７に示すように、ツマミ部４５が略横向きとなるようにモード切換ツマミ４４を下方から見て略９０°右回転させると、保持筒４６及び係合ピン４７も右回転して図８に示すように側方側へ移動するため、係合ピン４７を介してクラッチ３７を中間位置までスライドさせる。よって、第２ギヤ３１との連結を維持したままクラッチ３７の後面側のクラッチ爪３９をボススリーブ３２の係合爪４１と係合させるハンマードリルモードとなる。このとき、保持筒４６が移動しても規制部５０が位相をずらせてそのまま下板５２の内縁と当接してロックプレート５１のスライドを規制しているため、ロックプレート５１の非係合位置は変わらない。
なお、ここでもクラッチ３７とボススリーブ３２とが未係合となっても、第２ギヤ３１との係合の場合と同様に、係合ピン４７が下降してコイルバネ４８を圧縮させ、クラッチ３７を後方へ付勢するため、クラッチ３７の回転で爪同士が噛み合う位置になると、クラッチ３７が後退してボススリーブ３２と直ちに連結することになる。
【００２０】
このハンマードリルモードでモータを駆動させると、中間軸２６の回転がクラッチ３７、第２ギヤ３１、ギヤ１１を介してツールホルダ３に伝わってビット４を回転させる一方、クラッチ３７と連結されるボススリーブ３２にも伝わる。よって、スワッシュベアリング３３が揺動して連結アーム３４がピストンシリンダ２３を往復動させる。この動作により、ピストンシリンダ２３内のストライカ２５が連動して往復動し、ビット４の後端が当接するインパクトボルト１６を打撃するため、ビット４には回転に加えて打撃が伝わることとなる。
【００２１】
次に、図９〜１１に示すように、モード切換ツマミ４４をさらに略４５°右回転させると、保持筒４６及び係合ピン４７も右回転して後方側へ移動するため、図１２に示すように係合ピン４７を介してクラッチ３７が後退位置までスライドして第２ギヤ３１から離れ、ボススリーブ３２のみと係合するハンマーモード（ニュートラルモード）となる。ここでは、保持筒４６が移動しても規制部５０が位相をずらせてそのまま下板５２の内縁と当接してロックプレート５１のスライドを規制しているため、ロックプレート５１の非係合位置は変わらない。
この状態でモータを駆動させると、中間軸２６の回転は第２ギヤ３１へ伝わらず、ツールホルダ３も回転しないが、ボススリーブ３２は回転してピストンシリンダ２３を往復動させるため、ビット４へは打撃のみが伝わることとなる。但し、第２ギヤ３１の回転はロックされていないので、ツールホルダ３の回転もフリーとなり、ビット４の軸線回りの角度を任意に変更できる。
【００２２】
次に、図１３〜１５に示すように、モード切換ツマミ４４をさらに略９０°右回転させると、保持筒４６及び係合ピン４７も右回転するが、図１６に示すようにニュートラルモードとは、モード切換ツマミ４４の回転中心を通る前後方向の直線に対して線対称の位相となり、前後方向への位置は変化しないため、クラッチ３７は後退位置でボススリーブ３２との噛合状態を継続し、第２ギヤ３１から離れるハンマーモードとなる。但し、規制部５０は、位相をずらせて保持筒４６よりも後方へ移動するため、ロックプレート５１は、下板５２の内縁が保持筒４６に当接するまで後退し、前板５３の各切欠５７を第２ギヤ３１のロック歯５６に嵌合させる係合位置となる。このとき、各切欠５７とロック歯５６との位相が合わなくても、そのままコイルバネ５５によってロック歯５６への押圧状態は維持されるため、第２ギヤ３１が回転して位相が合えば、各切欠５７が嵌合して直ちにロックされる。
従って、この状態でモータを駆動させると、中間軸２６の回転は第２ギヤ３１へ伝わらず、ツールホルダ３も回転しないが、ボススリーブ３２は回転してピストンシリンダ２３を往復動させるため、ビット４へは打撃のみが伝わることとなる。また、ツールホルダ３の回転はロックされてビット４の角度も固定される。
【００２３】
なお、ハウジング２内において、モード切換ツマミ４４の前方には、図１，２等に示すように、リーフスプリング５８が左右方向に保持される一方、モード切換ツマミ４４の周縁には、上記各動作モードの回転位置に対応してリーフスプリング５８が弾性係止する切欠部５９，５９・・が形成されている。よって、モード切換ツマミ４４の回転操作の際にクリック作用が得られて各動作モードへの回転操作が容易となる。
また、ここでは、モード切換ツマミ４４の回転操作によってハンマーモードからドリルモードへ直接切換可能となっているが、クラッチ３７のクラッチ爪３８と第２ギヤ３１の係合爪４０とが未係合となる場合には、係合ピン４７がクラッチ３７の嵌合溝４２に沿って下降しても、係合ピン４７の下端が保持筒４６の底面に当接することで、モード切換ツマミ４４の切換後の位置への回転を規制するように係合ピン４７のストロークを設定している。ロックプレート５１の前板５３が第２ギヤ３１のロック歯５６と嵌合したままドリルモードで作動させてしまうことを防止するためである。
【００２４】
このように、上記形態のハンマードリル１によれば、ハウジング２内に、モード切換ツマミ４４に係合してその回転をロック可能なロックプレート５１を、第２ギヤ３１との係合位置と、第２ギヤ３１との非係合位置との間でスライド可能に設ける一方、モード切換ツマミ４４における係合ピン４７の外周側に、クラッチ３７をボススリーブ３２のみと係合させる係合ピン４７の２つの位相のうち、一方の位相でロックプレート５１を非係合位置にスライドさせ、他方の位相でロックプレート５１を係合位置へスライドさせる規制部５０を設けて、ハンマーモードを、係合ピン４７を一方の位相とする位置でツールホルダ３の回転をフリーとする状態と、他方の位相とする位置でツールホルダ３の回転を規制する状態とにさらに選択可能としたことで、係合ピン４７の採用による利点を維持しつつ、ハンマーモードでのビット４の回転規制も可能として、使い勝手を向上させることができる。而も、規制部５０及びロックプレート５１等を追加する簡単な構成で足りるため、回転規制の追加に伴うコストアップは最小限で済む。
【００２５】
特にここでは、ロックプレート５１を、コイルバネ５５によって係合位置へ付勢して設け、一方の位相では規制部５０と当接して係合位置へのスライドが規制されることで非係合位置が維持され、他方の位相では規制部５０によるスライド規制が解除されることで係合位置へのスライドが許容される構成としたことで、ハンマーモードへ切り換えた際に、第２ギヤ３１のロック歯５６とロックプレート５１の前板５３とが噛み合わない未係合となった場合でも、第２ギヤ３１が回転すると、コイルバネ５５の付勢によって直ちにロックプレート５１の前板５３がロック歯５６に係合し、ハンマーモードへの確実な切換が可能となる。
【００２６】
さらに、クラッチ３７の外周に、Ｖ字状の嵌合溝４２を凹設し、嵌合溝４２と係合する係合ピン４７の先端をテーパ状に形成して、ツールホルダ３の回転が規制されるハンマーモードとドリルモードとの間でのモード切換ツマミ４４の回転操作時に、クラッチ３７と第２ギヤ３１又はボススリーブ３２とが互いの端面同士の当接で未係合となる場合には、係合ピン４７がその先端を嵌合溝４２に沿って摺動させながらコイルバネ４８の付勢に抗して後退することで、クラッチ３７を相手側との係合位置へ付勢すると共に、係合ピン４７の進退動のストロークを、当該未係合の際にはモード切換ツマミ４４がモード切換後の回転操作位置へ達する前に後退が規制される設定としたことで、ロックプレート５１が第２ギヤ３１と係合したままドリルモードで作動させてしまうことを防止でき、モード切換の信頼性が高まる。
【００２７】
なお、上記形態では、規制部を規制筒の一部として設けているが、壁状の規制部のみを設けるようにしてもよい。また、保持筒と連続形成する形態に限らず、保持筒と規制部とを別体に設けても差し支えない。勿論規制部自体の構造も、円弧状の壁以外にピン状の突起等の他の形状も採用できる。
一方、ロック部材も、上記形態のロックプレートに限らず、下板や前板の形状変更は勿論可能であるし、第２の付勢手段は後方から引張付勢する引張スプリングとしても差し支えない。また、例えば第２ギヤのロック歯の位置を前端側にして、下板に保持筒及び規制部が遊挿する透孔を設けてロック部材を前方へ付勢し、前方を係合位置、後方を非係合位置とするといった変更も考えられる。
【００２８】
そして、係合ピンも、上記形態では上端を左右対称のテーパとしているが、円錐状のテーパとしてもよい。
また、上記形態では、モード切換ツマミを中間軸の下方に設けて係合ピンをクラッチ部材に係合させているが、中間軸の側方（ハウジングの側面）に設けても差し支えない。
その他、打撃機構を、固定されるシリンダ内でピストンが往復動して打撃子を連動させる形態としたり、中間子を省略して打撃子が直接ビットを打撃する形態としたり等、ハンマードリルの構造は上記形態以外に適宜変更可能である。
【図面の簡単な説明】
【００２９】
【図１】ハンマードリルの一部縦断面図である（ドリルモード）。
【図２】ハウジングを省略した内部構造の外観図で、（Ａ）は右側面、（Ｂ）は斜視を夫々示す。
【図３】ハンマードリルの底面図である。
【図４】（Ａ）はＡ−Ａ線断面図、（Ｂ）はモード切換ツマミとロックプレートとの平面図である。
【図５】ハンマードリルの一部縦断面図である（ハンマードリルモード）。
【図６】ハウジングを省略した内部構造の外観図で、（Ａ）は右側面、（Ｂ）は斜視を夫々示す。
【図７】ハンマードリルの底面図である。
【図８】（Ａ）はＢ−Ｂ線断面図、（Ｂ）はモード切換ツマミとロックプレートとの平面図である。
【図９】ハンマードリルの一部縦断面図である（ニュートラルモード）。
【図１０】ハウジングを省略した内部構造の外観図で、（Ａ）は右側面、（Ｂ）は斜視を夫々示す。
【図１１】ハンマードリルの底面図である。
【図１２】（Ａ）はＣ−Ｃ線断面図、（Ｂ）はモード切換ツマミとロックプレートとの平面図である。
【図１３】ハンマードリルの一部縦断面図である（ハンマーモード）。
【図１４】ハウジングを省略した内部構造の外観図で、（Ａ）は右側面、（Ｂ）は斜視を夫々示す。
【図１５】ハンマードリルの底面図である。
【図１６】（Ａ）はＤ−Ｄ線断面図、（Ｂ）はモード切換ツマミとロックプレートとの平面図である。
【符号の説明】
【００３０】
１・・ハンマードリル、２・・ハウジング、３・・ツールホルダ、４・・ビット、５・・出力軸、１１・・ギヤ、１６・・インパクトボルト、２２・・打撃機構、２３・・ピストンシリンダ、２４・・空気室、２５・・ストライカ、２６・・中間軸、２９・・第１ギヤ、３１・・第２ギヤ、３２・・ボススリーブ、３３・・スワッシュベアリング、３４・・連結アーム、３７・・クラッチ、３８，３９・・クラッチ爪、４０，４１・・係合爪、４２・・嵌合溝、４４・・モード切換ツマミ、４６・・保持筒、４７・・係合ピン、４８・・コイルバネ、４９・・規制筒、５０・・規制部、５１・・ロックプレート、５２・・下板、５３・・前板、５６・・ロック歯。
【図１】
0005116029.tif 000002
【図２】
0005116029.tif 000003
【図３】
0005116029.tif 000004
【図４】
0005116029.tif 000005
【図５】
0005116029.tif 000006
【図６】
0005116029.tif 000007
【図７】
0005116029.tif 000008
【図８】
0005116029.tif 000009
【図９】
0005116029.tif 000010
【図１０】
0005116029.tif 000011
【図１１】
0005116029.tif 000012
【図１２】
0005116029.tif 000013
【図１３】
0005116029.tif 000014
【図１４】
0005116029.tif 000015
【図１５】
0005116029.tif 000016
【図１６】
0005116029.tif 000017